(57)【要約】【課題】鉄塔等の建造物に設けられたアンテナ支持柱と当該アンテナ支持柱の支持物との間に簡単に取り付けられてアンテナ支持柱への雷サージ電流の侵入を有効に防止することが出来る雷サージ絶縁リングを備えたアンテナ支持柱の耐雷取り付け構造を提供する。【解決手段】建造物に設けたアンテナ支持柱に、通信用アンテナを支持させる構造において、上記アンテナ支持柱３の外周に、一定長の半円筒形状の二つの絶縁部材１を相対向させて被冠して雷サージ絶縁リングＡとし、当該雷サージ絶縁リングＡの外周に別設の固定金具８、９を設けて当該固定金具８、９を上記建造物に取り付け、雷サージ電流を上記雷サージ絶縁リングＡで遮断する。【選択図】図１
0003125247.tif 000002
【実用新案登録請求の範囲】
【請求項１】
建造物に設けたアンテナ支持柱に、通信用アンテナを支持させる構造において、
上記アンテナ支持柱の外周に、一定長の半円筒形状の二つの絶縁部材を相対向させて被冠して雷サージ絶縁リングとし、当該雷サージ絶縁リングの外周に別設の支持部材を設けて当該支持部材を上記建造物に取り付け、雷サージ電流を上記雷サージ絶縁リングで遮断することを特徴とする、アンテナ支持柱の耐雷取り付け構造。
【請求項２】
上記支持部材は、半割りバンド部材片を相対向させて当該各半割りバンド部材片の両側端から外方へ突出した各突出片をボルトとナットで固定し、一方の半割りバンド部材片を上記建造物に取り付けることを特徴とする、上記請求項１に記載のアンテナ支持柱の耐雷取り付け構造。
【請求項３】
上記雷サージ絶縁リングは耐電圧が３０ＫＶ以上であることを特徴とする、上記請求項１又は２の何れかに記載のアンテナ支持柱の耐雷取り付け構造。
【考案の詳細な説明】
【技術分野】
【０００１】
この考案は、鉄塔の上部に設けられている通信用のアンテナを支持するアンテナ支持柱に取り付けて、避雷針等に落雷があった際、当該落雷による雷サージのアンテナへの侵入を防止する雷サージ絶縁リングを備えたアンテナ支持柱の耐雷取り付け構造に関するものである。
【背景技術】
【０００２】
従来、携帯電話、無線ＬＡＮ等通信用に数多くのアンテナが設けられている。これらのアンテナは、通常鉄塔の上部に設けられているが、これより高い鉄塔の頂部に設けた避雷針により、雷サージから護られている。通常は、避雷針に落雷があった場合、この避雷針から接地線に雷サージが流れ、接地線の先端に接続した接地電極から地中に放電される構成を採っている。しかしながら、上記避雷針の接地線以外に、鉄塔部材から経由した雷サージが、アンテナや鉄塔に設置された他の機器に侵入して当該アンテナ等の絶縁破壊、機能停止、機能劣化等々様々な障害を発生させている。
【０００３】
一方、アンテナに落ちた落雷による当該アンテナを経由して侵入してくる雷サージの防止手段としては、当該アンテナ側に雷サージ防止回路を設けたものがある。雷サージは８〜１０ＫＨZ付近に最大エネルギがあると言われており、その周波数成分が電力増幅部の固体化素子に印加されることを低減出来ればよく、ＨＰＦ（高域フィルタ）を挿入すれば３〜３０ＫＨZの電力増加部に印加される雷サージを大きく低減出来る。
【特許文献１】特開平１０−１１２６６２号公報（従来例参照）
【考案の開示】
【考案が解決しようとする課題】
【０００４】
しかしながら、上記の様に、鉄塔に設けられたアンテナの場合、近くにある避雷針へ直撃雷があった場合、鉄塔部材を経由した当該アンテナへの雷サージ流入による悪影響は看過出来ないものがあったが、この雷サージに対する防止手段はこれまで施されていなかった。もし、この様な防止手段があれば、上記アンテナの雷サージ防止回路と併用すれば、アンテナ等にとってより障害、被害を少なくすることが出来る。
【０００５】
そこで、この考案は、鉄塔等の建造物に設けられたアンテナ支持柱と当該アンテナ支持柱の支持物との間に簡単に取り付けられてアンテナ支持柱への雷サージ電流の侵入を有効に防止することが出来る雷サージ絶縁リングを備えたアンテナ支持柱の耐雷取り付け構造を提供するものである。
【課題を解決するための手段】
【０００６】
請求項１の考案は、建造物に設けたアンテナ支持柱に、通信用アンテナを支持させる構造において、上記アンテナ支持柱の外周に、一定長の半円筒形状の二つの絶縁部材を相対向させて被冠して雷サージ絶縁リングとし、当該雷サージ絶縁リングの外周に別設の支持部材を設けて当該支持部材を上記建造物に取り付け、雷サージ電流を上記雷サージ絶縁リングで遮断するアンテナ支持柱の耐雷取り付け構造とした。
【０００７】
請求項２の考案は、上記支持部材は、半割りバンド部材片を相対向させて当該各管状部材片の両側端から外方へ突出した各突出片をボルトとナットで固定し、一方の管状部材片を上記建造物に取り付ける上記請求項１に記載のアンテナ支持柱の耐雷取り付け構造とした。また、請求項３の考案は、上記雷サージ絶縁リングは耐電圧が３０ＫＶ以上である上記請求項１又は２の何れかに記載のアンテナ支持柱の耐雷取り付け構造とした。
【考案の効果】
【０００８】
請求項１の考案によれば、一定長の半円筒形状の絶縁部材を二つ設け、当該二つの絶縁部材を相対向させて形成した雷サージ絶縁リングを建造物に設けたアンテナ支持柱と当該建造物との間に介在させて設けたので、建造物側からアンテナ側に流れる雷サージをアンテナ支持柱の段階で容易に遮断することが出来、建造物側から発生する雷サージに基づくアンテナの被害を防ぐことが出来る。また、アンテナに設けられる雷サージ防止回路と合わせて使用すれば、より、効果的に雷サージに起因する被害を防ぐことが出来る。さらに、この雷サージ絶縁リングは、構造もシンプルで、量産にも適し、取り付けも簡単なため、使い勝手の良いものである。
【０００９】
請求項２の発明によれば、上記支持部材は、半割りバンド部材片を相対向させて当該各管状部材片の両側端から外方へ突出した各突出片をボルトとナットで固定し、一方の管状部材片を上記建造物に取り付けることとしたので、アンテナ支持柱に雷サージ絶縁リングを被冠して、その上から半割りバンド部材片を合わせてボルトとナットで固定出来るため、簡単かつ確実に、建造物に取付けることが出来る。
【００１０】
また、請求項３の考案によれば、雷サージ絶縁リングの耐電圧を３０ＫＶ以上としたので、アンテナへの侵入を効果的に防止することが出来る。そのため、雷サージ絶縁リングを備えたアンテナ支持柱の耐雷取り付け構造として、信頼性があるものである。
【考案を実施するための最良の形態】
【００１１】
建造物に設けたアンテナ支持柱に、通信用アンテナを支持させる構造において、上記アンテナ支持柱の外周に、一定長の半円筒形状の二つの絶縁部材を相対向させて被冠して雷サージ絶縁リングとし、当該雷サージ絶縁リングの外周に別設の支持部材を設けて当該支持部材を上記建造物に取り付け、雷サージ電流を上記雷サージ絶縁リングで遮断する。
【００１２】
これにより、建造物側からアンテナ側に流れる雷サージをアンテナ支持柱の段階で容易に防止することが出来、建造物側から発生する雷サージに基づくアンテナの被害を防ぐことが出来る。また、この雷サージ絶縁リングは、構造もシンプルで、量産にも適し、取り付けも簡単なため、使い勝手の良いものである。
【実施例１】
【００１３】
以下、この考案の実施例を図に基づいて説明する。
図２及び図３は、この考案の実施例の雷サージ絶縁リングＡを形成する半円筒形状の絶縁部材１を示す。この雷サージ絶縁リングＡは、熱可塑性樹脂を切削又は押出成形して二つの一定長の半円筒形状の絶縁部材１を相対向させたものから成る。この雷サージ絶縁リングＡの雷サージに対する耐電圧は３０ＫＶ以上としている。
【００１４】
次に、この様な雷サージ絶縁リングＡを使用してアンテナ２を支持したアンテナ支持柱３を通信用の鉄塔Ｂに支持する。図４に示すように、この鉄塔Ｂは通信用のものであり、この鉄塔Ｂの上部には環状の上部ステージ４及び下部ステージ５を夫々設け、これら二段の上下ステージ４、５の左右の両側部において、直棒状のアンテナ支持柱３を立設した状態で上下ステージ４、５が位置する二個所で固定し、これらのアンテナ支持柱３を介して当該アンテナ支持柱３に沿ってアンテナ２を夫々支持している。また、この鉄塔Ｂの上部の中央であって天空に向かって突出して設けられているのは避雷針６である。
【００１５】
アンテナ支持柱３は、鋼管製とし、図１に示すように、上下二個所において固定具７によってアンテナ２を支持固定している。そして、上記鉄塔Ｂの上部ステージ４と下部ステージ５の左右の両端の位置において、まず、この雷サージ絶縁リングＡを形成する二つの絶縁部材１をアンテナ支持柱３の外周に相対向させて被冠し、その外周を、図５及び図６に示す、金属製で両端に突出片を有し、途中二段に亘ってリブを設けた半割バンドから成る固定金具８，９を合わせてボルト１２とナット１３により、締め付けて挟持固定している。
【００１６】
この半割りバンドから成る固定金具８、９のうち上下ステージ４、５側の固定金具９は、さらに、これらの固定金具８、９を上下ステージ４、５に固定するための固定金具１０にボルト１２とナット１３により固定され、この固定金具１０は上下ステージ４、５の一端の外周部材とはコの字型のボルト１１によって固定されている。
【００１７】
上記の鉄塔Ｂの避雷針６に落雷があった場合、その多くの雷サージは、当該避雷針６に接続された接地線（図示省略）を通じて地中Ｇに放電される。しかし、この接地線以外に、鉄塔部材から経由した雷サージが上部ステージ４や下部ステージ５を通じてアンテナ２に流れようとするが、アンテナ２を支持するアンテナ支持柱３は、雷サージ絶縁リングＡを介して上部ステージ４及び下部ステージ５に支持されているので当該個所で雷サージは遮断されてそれ以上、進むことは出来ない。
【００１８】
これにより、避雷針６に落雷があり、接地線以外に、鉄塔部材から経由した雷サージがアンテナ２に流れようとしても防ぐことが出来、アンテナ２の絶縁破壊や機能障害等を未然に防ぐことが出来る。
【００１９】
なお、上記実施例においては、鉄塔Ｂの上部にアンテナ支持柱３を介して設けたアンテナ２の場合を使って説明したが、この雷サージ絶縁リングＡを使用するのは、鉄塔Ｂの場合に限らず、例えば、ビルの屋上や壁面等から突出させてアンテナ支持柱を介して設けたアンテナの場合などで、雷サージの侵入する恐れがある場合などでも使用できる。また、この場合、雷サージに限らず、開閉サージや機器の故障等に伴う過電流に対することを目的として使用してももちろん良い。
【００２０】
また、アンテナ支持柱３と上下ステージ４、５の間に雷サージ絶縁リングＡを介在させて設けるのに、固定金具８、９、１０とボルト１２とナット１３を用いて固定しているが、雷サージ絶縁リングＡを設けるのに必ずしも、この様な固定金具８、９、１０とボルト１２とナット１３を用いる必要は無く、鉄塔Ｂ等に取り付けられるものなら適宜のもので良い。
【００２１】
さらに、雷サージ絶縁リングＡを形成する絶縁部材１として、熱可塑性樹脂から成るものを使用しているが、絶縁部材１の材質としては、これに限るものではない。また、アンテナ支持柱３として鋼管製のものを使用しているが、使用するアンテナ支持柱３の材質としては、鋼管製に限定するものではなく、アンテナ２を取り付け、また、雷サージ絶縁リングＡを介して鉄塔Ｂの上下ステージ４、５等に不都合無く取り付けられるものであるならば、適宜の材質のもので良い。また、この雷サージ絶縁リングＡの雷サージに対する耐電圧を３０ＫＶ以上としているが、耐電圧は、これに限定するものではなく、その時に求められる必要な値のものにすればよい。
【図面の簡単な説明】
【００２２】
【図１】この考案の実施例の雷サージ絶縁リングをアンテナ支持柱に設け、その上から支持部材を取り付けた状態の正面図である。
【図２】この考案の実施例の雷サージ絶縁リングを形成する半円筒形状の絶縁部材の平面図である。
【図３】この考案の実施例の半円筒形状の絶縁部材を二つ相対向させて雷サージ絶縁リングを形成した状態の斜視図である。
【図４】この考案の実施例の雷サージ絶縁リングを設ける鉄塔の正面図である。
【図５】この考案の実施例の雷サージ絶縁リングを固定金具を使用して上部ステージ（下部ステージ）の一端に取り付けた状態の横断面図である。
【図６】この考案の実施例の雷サージ絶縁リングを固定金具を使用して上部ステージ（下部ステージ）等の建造物の一端に取り付ける状態を示す正面図である。
【符号の説明】
【００２３】
Ａ    雷サージ絶縁リング                Ｂ    鉄塔
１    絶縁部材                          ２    アンテナ
３    アンテナ支持柱
【図１】
0003125247.tif 000003
【図２】
0003125247.tif 000004
【図３】
0003125247.tif 000005
【図４】
0003125247.tif 000006
【図５】
0003125247.tif 000007
【図６】
0003125247.tif 000008